(57)【要約】【課題】本発明は、水によって覆われた地域または湿地区域で海事、水上、または空中活動を行うために特にデザインされた手動または自動救命ジャケットの構成的配列に関する。【解決手段】このジャケットは2つ以上の内腔または隔室（01）領域を含み、これらの内腔または隔室は有利に多数の位置に配置され、ジャケット着用者の頭を水の外へ維持する。これらの内腔または隔室は、圧縮ガス、化学反応によって生成されたガス、または水よりも低い密度を有する発泡体で満たされ、手動のセンサ（04）によって作動され、体力の消耗、パニック、筋肉疲労、痙攣、空気の欠乏、心臓麻痺、船酔い、眠気、意識の喪失、またはジャケット着用者を著しい危険にさらす他の原因のために、着用者が浮遊動作を維持するのが困難であるときでも、着用者の完全な浮遊を可能にする。
2005502542.tif 000002
【特許請求の範囲】
【請求項１】
手動または自動救命ジャケットの構成的配列であって、明細書で説明され、特に、水で覆われた地域または湿地区域で海事、水上、または空中活動を行うようにデザインされ、適切な材料、たとえば、メリヤス生地または熱の保護を提供する伸縮性および不浸透性の材料から製作された手動または自動救命ジャケットを例示する図１、図２、および図３で示され、前記ジャケットは、その前面および背面部分に沿った首の開口部の近くに一連の内腔または隔室１を均一かつ内部的に配置され、前記内腔または隔室１は、化学反応から引き出された特殊ガス２を保持するようにデザインされ、孔を塞いで不浸透性にするために使用される任意の材料から作られた内部フィルム３により設けられ、ガス２を前記隔室１の中へ放出して完全な浮遊を生じるように膨張させるシステムを作動するため救命ジャケットの背面部分にセンサ４が配置され、システムを作動するため前記隔室の中へ空気を吹き込む手段またはピン５が設けられ、背面部分にあって閉回路７により作動される酸素ガス室６が、遠位端にマスク９を有する小さな直径のパイプ８を介して酸素を放出することを特徴とする手動または自動救命ジャケットの構成的配列。
【請求項２】
明細書に記載され、添付の図４および図５で示され、ジャケット（11）によって提供され、折り畳まれ、手動または自動で作動される（12）救命モデル（10）が、ガスシリンダ（13）から膨張されることを特徴とする請求項１に記載の手動または自動救命ジャケットの構成的配列。
【請求項３】
吹き込まれるか、手動によるか、センサの活動、たとえば、（事前調整される）水面下の滞留時間、生命標準、たとえば、外部センサによってモニタされる心臓の鼓動、呼吸、または血流中の酸素量の変化、非常に強い物理的インパクトによる作動、時間メカニズムのキャンセル不在により自動的に作動されて膨張することを特徴とする請求項１又は２に記載の手動または自動救命ジャケットの構成的配列。
【請求項４】
衣類の浮遊性を増加し、断熱性を助けて低体温症を避けることを目的として、ジャケットが、その全ての延長部の中に吹き込まれた空気の特別の層を有することを特徴とする請求項１〜３のいずれか１項に記載の手動または自動救命ジャケットの構成的配列。
【請求項５】
任意の場所、たとえば、ジャケット、ベルト、袖口、襟、足首部分に内腔が存在し、この内腔は、膨張したとき人の浮遊を助けることを特徴とする請求項１〜４のいずれか１項に記載の手動または自動救命ジャケットの構成的配列。
【請求項６】
吹き込まれ、小さなパイプからのガスで膨張し、所望の化学反応から生じた発泡体またはガスまたは触媒作用発泡体で充填されることを特徴とする請求項１〜５のいずれか１項に記載の手動または自動救命ジャケットの構成的配列。
【請求項７】
一般の水着、たとえば、スイミングトランクス、バミューダショーツ、スイミングスーツ、またはビキニ、または既存の衣類の上に着用される簡単なベルト、アンクルストラップ、またはリストストラップの補足品であることを特徴とする請求項１〜６のいずれか１項に記載の手動または自動救命ジャケットの構成的配列。
【請求項８】
酸素を含む空気、ヨード添加された水しっくい、および水面下または煙または塵埃で満たされた環境で或る時間のあいだ呼吸するためのマスクからなり、呼吸動作を可能にする閉鎖システムを含むことを特徴とする請求項１〜７のいずれか１項に記載の手動または自動救命ジャケットの構成的配列。
【請求項９】
各々の所望される最終使用および型のために幾つかの適切な材料から多くの形態で製作されることを特徴とする請求項１〜８のいずれか１項に記載の手動または自動救命ジャケットの構成的配列。
【発明の詳細な説明】
【技術分野】
【０００１】
本発明は、２００１年９月２５日に出願されたブラジル特許出願第ＰＩ０１０４７８９−２号で説明される型の手動または自動救命衣料品の新規で代替的な構成的配列に関し、特に、水で覆われた地域または湿地区域で海事、水上、または空中活動を行うためにデザインされ、手動または自動で作動される浮遊装置に基づく保証された効果を有する。
【背景技術】
【０００２】
本発明は、説明された救命ジャケットの発明概念に応用される代替的な構成的配列に関する。この構成的配列において、救命装置の新しいモデルがデザインされた。このモデルは、一般に使用される水着、たとえば、バミューダショーツ、スイミングトランクス、スイミングスーツ、またはビキニ、またはベルト、アンクルストラップ、またはリストストラップの補足品として使用可能であり、組み合わせるか単独で着用し、また既存の衣類の上に着用することができる。
【０００３】
溺死の危険を与える地域でスポーツおよび他の活動を行うときに救命装置を使用することは、現実問題として基本的で非常に重要な事柄である。
【０００４】
救命ジャケットを着用した人が溺死することはよく起こる。なぜなら、泳ぎ方を知らないか、調整不良の救命ジャケットを着用して深い水の中へ飛び込み、および／又は、ある場合には意識不明となり、そのため水の外へ頭を維持することができないからである。多くの場合、単純な事故が起こるが、他の場合には、死体が水底で発見される。したがって、この種の事故の防止を助ける新規で改良された機器および手法に対する必要性は高い。
【発明の開示】
【発明が解決しようとする課題】
【０００５】
本発明の目的は、前述した問題の代替的解決法を提案することである。本発明は、以下で説明される独特の助成部品を有するようにデザインされている。
【０００６】
本発明の目的は、現在の問題に対する技術的および機能的助成部品を提供し、これらの問題を解決することであり、救命ジャケットを着用した人の頭が水の外に維持されるように、有利に配置された2つ以上の内腔または隔室部分を備えた衣料品がデザインされた。
【課題を解決するための手段】
【０００７】
内腔または隔室は、圧縮ガスまたは化学反応によって生成されたガス、または水よりも小さい密度を有する発泡体を充填され、体力の消耗、パニック、筋肉疲労、痙攣、空気の欠乏、心臓麻痺、船酔い、眠気、意識の喪失、または救命ジャケットの着用者を著しい危険にさらす他の原因のために、着用者が浮遊動作を維持するのが困難な場合でも、着用者の完全な浮遊を提供することができる。
【０００８】
本発明に従った救命ジャケットは、メリヤス生地または伸縮性および不浸透性の素材などから製造可能である。更に、メリヤス生地が使用されるとき、空気タイヤを充填および密封するために使用される発泡体と同じように、多孔性織物の隙間に防水性の触媒作用発泡体を注入することができる。
【０００９】
本発明に係る救命ジャケットは、手動で作動されるか、水と接触したとき、組み合わせ又は単独で作動するセンサ、深度センサ、浸入時間センサ、または経皮性酸素測定センサ（血流の酸素量を測定するために使用される機器であって、現在では、ほぼ腕時計のサイズを有する）によって自動的に作動される。センサはシステムを自動的に作動させ、救命ジャケットを膨張させて着用者を水面まで浮上させる。したがって、過度の時間水面下に居ることによって起こる回復不可能な溺死を避け、着用者の発見および救助を可能にする。
【００１０】
本明細書に組み込まれ、その一部分を構成する添付の図面は、本発明の好ましい実施形態を示し、説明とともに、出願人によって開発された基本的および好ましい実施形態を説明するのに役立つ。
【００１１】
しかし、本発明は、この特定形式の実施形態および特徴に限定されない。なぜなら、図４および図５の救命モデルによって示されるように、他の可能な製作形式を考慮することができるからである。これらすべての実施形態は、当初の請求範囲内にあると考えられる。
【発明を実施するための最良の形態】
【００１２】
前述した点を、より十分に説明するため、本発明は、以下に添付した図面に示される好ましい実施形態に関して説明される。
【００１３】
図に示すように、本発明は、任意の適切な材料、たとえば、メリヤス生地または熱の保護を提供する伸縮性および不浸透性素材から製造される救命ジャケットに関する。このジャケットは、その前面および背面部分に沿った首の開口部の近くに、一連の内腔または隔室１を均一かつ内部的に配置される。前記内腔または隔室１は、化学反応により生じた特殊ガス２を保持するようにデザインされ、孔を塞いで不浸透性にするために使用される任意の材料から作られた内部フィルム３により設けられる。
【００１４】
センサ４が、救命ジャケットの背面部分に配置される。センサ４は、ガス２を前記隔室１の中へ放出するシステムを作動し、完全な浮遊を生じるように隔室を膨張させる。
【００１５】
ジャケットは、更に、隔室１の他の手段を使用しないで充填される弁によって膨張され、したがって完全な浮遊を生じるように隔室が膨張することもできる。
【００１６】
更に、救命ジャケットの肩領域の上に配置されたピン５を介して、システムを作動することができる。
【００１７】
閉回路７によって作動される酸素ガス室６は、救命ジャケットの背面部分に配置され、小径のパイプ８を介して酸素が放出され、パイプの遠位端にあるマスク９を使用して最終的に酸素が供給される。
【００１８】
本発明の概念は、他の代替的実施形態として、ジャケット１１によって提供され、折り畳まれ、手動または自動的に作動され１２、ガスシリンダ１３から膨張され、ロック１４を設けられる救命ジャケット１０に応用可能である
このようにして、水で覆われた地域または湿地区域で海事、水上、空中活動を行うための、本発明に従った手動または自動救命衣料品は、行った分析から明らかなように、新規な特徴を有する。この特徴は、究極的分析において、より大きな安全を着用者にもたらし、したがって本明細書で請求されている法的保護に値する。
【図面の簡単な説明】
【００１９】
【図１】本発明に係る救命ベストの第１の斜視図であって、その前面部分を示す。
【図２】本発明に係る救命ベストの第２の斜視図であって、その背面を示す。
【図３】本発明に係る救命ジャケットの拡大断面図である。
【図４】本発明により提案された救命ベストの他の代替的実施形態を示す斜視図である。
【図５】前記他の代替的実施形態の作動を示す概略図である。
【国際公開パンフレット】
2005502542.tif 000003
2005502542.tif 000004
2005502542.tif 000005
2005502542.tif 000006
2005502542.tif 000007
2005502542.tif 000008
2005502542.tif 000009
2005502542.tif 000010
2005502542.tif 000011
2005502542.tif 000012
2005502542.tif 000013
2005502542.tif 000014
2005502542.tif 000015
2005502542.tif 000016
2005502542.tif 000017
【国際公開パンフレット（コレクトバージョン）】
2005502542.tif 000018
2005502542.tif 000019
【国際調査報告】
2005502542.tif 000020